(57)【特許請求の範囲】
【請求項１】
地盤を掘削して掘削溝を形成する第１の工程と、掘削溝底面に地中構造物を配置するとともに、地中構造物と掘削溝壁面との間のうち少なくともいずれか一方に、これら地中構造物と掘削溝壁面またはこの壁面に設けられた土留め用矢板のいずれか一方との間にそれぞれ空隙を確保して支持壁材を配置する第２の工程と、地中構造物と溝底面と支持壁材の内側面とに沿ってジオテキスタイルを被せ、このジオテキスタイルの溝幅方向両端を余らせる第３の工程と、ジオテキスタイル両端余り部を埋め戻し材の投入に応じて伸ばす第４の工程と、埋め戻し材を投入し、ジオテキスタイルの両端を埋め込んで掘削溝を埋め戻す第５の工程とを備えたことを特徴とするジオテキスタイルによる地中構造物の浅埋設工法。
【請求項２】
地盤を掘削して掘削溝を形成する第１の工程と、掘削溝底面に地中構造物を配置する第２の工程と、地中構造物が配置された掘削溝に埋め戻し材を投入して、地中構造物の一部を埋め戻し材上に露出させる第３の工程と、地中構造物と掘削溝壁面との間のうち少なくともいずれか一方に、これら地中構造物と掘削溝壁面またはこの壁面に設けられた土留め用矢板のいずれか一方との間にそれぞれ空隙を確保して支持壁材を配置する第４の工程と、地中構造物と埋め戻し材上面と支持壁材の内側面とに沿ってジオテキスタイルを被せ、このジオテキスタイルの溝幅方向両端を余らせる第５の工程と、ジオテキスタイル両端余り部を埋め戻し材の投入に応じて伸ばす第６の工程と、埋め戻し材を投入し、ジオテキスタイルの両端を埋め込んで掘削溝を埋め戻す第７の工程とを備えたことを特徴とするジオテキスタイルによる地中構造物の浅埋設工法。
【請求項３】
埋め戻し材を、配置された支持壁材まで投入しては、支持壁材上に他の支持壁材を積み上げてジオテキスタイルの余り部を引き上げ、積み上げと埋め戻しと余り部の引き上げを繰り返し、投入された埋め戻し材内に積み上げた支持壁材により支持壁を形成するとともに、所定の高さまで埋め戻し材を投入することを特徴とする請求項１または２に記載のジオテキスタイルによる地中構造物の浅埋設工法。
【請求項４】
地中構造物と支持壁材との間に、埋め戻し材が所定の嵩を確保するように空隙を設けたことを特徴とする請求項１ないし３のうちいずれか１に記載のジオテキスタイルによる地中構造物の浅埋設工法。
【請求項５】
支持壁材は、地中構造物の溝幅方向両側に設けられることを特徴とする請求項１ないし４のうちいずれか１に記載のジオテキスタイルによる地中構造物の浅埋設工法。
【請求項６】
ジオテキスタイルを被せ、このジオテキスタイルの溝幅方向両端を余らせて埋め戻し材を投入した後、埋め戻し材が所定の高さに達すると、上記ジオテキスタイルの余り部を投入された埋め戻し材上に被せて接続し埋め戻し材を包むことを特徴とする請求項１ないし５のうちいずれか１に記載のジオテキスタイルによる地中構造物の浅埋設工法。
【請求項７】
掘削溝の壁面に土留め用矢板を設け、掘削溝を埋め戻す際、矢板を引き抜くことを特徴とする請求項１ないし６のうちいずれか１に記載のジオテキスタイルによる地中構造物の浅埋設工法。
【請求項８】
埋め戻し材を囲んだジオテキスタイルの外側には、溝掘削により生じた掘削土を用いることを特徴とする請求項１ないし７のうちいずれか１に記載のジオテキスタイルによる地中構造物の浅埋設工法。
【請求項９】
掘削溝底面に地盤材料を投入して支持地盤を形成し、この支持地盤上に地中構造物を配置することを特徴とする請求項１ないし８のうちいずれか１に記載のジオテキスタイルによる地中構造物の浅埋設工法。
【請求項１０】
地盤材料に埋め戻し材を用いたことを特徴とする請求項９に記載のジオテキスタイルによる地中構造物の浅埋設工法。
【請求項１１】
ジオテキスタイルの余り部は、積み上げられる支持壁材の間に挟み込まれることを特徴とする請求項１ないし５のうちいずれか１に記載のジオテキスタイルによる地中構造物の浅埋設工法。
【発明の詳細な説明】
【技術分野】
【０００１】
本発明は、地中構造物をジオテキスタイルを用いて地中に埋設するジオテキスタイルによる地中構造物の浅埋設工法に関するものである。
【背景技術】
【０００２】
一般に、地中に埋設されるパイプラインや水路、マンホールなどの地中構造物を地盤の浅い位置に設置する場合、地中構造物に作用する浮力に抵抗するための対策としてジオテキスタイルを用いた地盤補強技術や施工方法が知られている。地盤に埋設される構造物は、地下水や豪雨による浮力を受けるので、浮上に対する安全性を確保するため所定の土被りを設ける必要がある。このため、埋設施工に必要な溝の掘削も大規模になり、工期の長期化や経費の増大の原因となっている。地中構造物の浮上を防止するためには、地中構造物に対し、浮力に見合った鉛直下向きの力を作用させる必要がある。方法としては、土被りを大きくする他に、構造物の重量の増大化をはかったり、構造物上部にコンクリートブロックなどの浮力防止パネルを設置する等の技術が知られている。しかしながら、土被りを大きくするためには、掘削溝の深度を深く取らなければならず、構造物重量の増大化をはかったり浮上抵抗に応じて大量のパネルを設置すると、コストアップを招くという問題がある。このため、本発明者は、掘削溝の両側壁に矢板を打ち込み、この両側を土留め用の矢板で保護した上で、掘削溝に地中構造物を配置し、ジオテキスタイルを敷設して埋め戻し材を投入し、埋め戻し材を包み込んだジオテキスタイルにより地中構造物の浮上抵抗力を抑制する地中構造物の埋設工法を提案した（特許文献１参照）。
【０００３】
【特許文献１】特許第３３１４１９１号公報（第３−５頁、図３）
【発明の開示】
【発明が解決しようとする課題】
【０００４】
しかしながら、上記従来の埋設工法では、矢板を用いて掘削溝の両側壁を保護しつつ埋設を行うため、掘削溝が深くしかも大きい規模の施工には適するものの、地理的な制約や環境などの状況などにより掘削溝を浅い深度とせざるを得ない場合や、矢板の打ち込みができない素堀溝の場合など、施工が困難になるという問題がある。このため、掘削溝に土留め用矢板を打ち込むことができない素堀溝であったり、浅い深度の素堀溝では、上記従来の埋設工法が適用しにくいという問題がある。
【０００５】
本発明は、上記課題を解決するためになされたもので、埋設用の溝が土留め用矢板が打ち込まれた掘削溝であっても、矢板を打ち込むことができない素堀溝であっても、溝の構造に関係なく、また、土被り層の厚さを薄くせざるを得ないきわめて浅い溝であっても、確実に浮上抵抗力を向上させ、かつ、施工性の良好なジオテキスタイルによる地中構造物の浅埋設工法を得ることを目的とする。
【課題を解決するための手段】
【０００６】
請求項１に係るジオテキスタイルによる地中構造物の浅埋設工法は、地盤を掘削して掘削溝を形成する第１の工程と、掘削溝底面に地中構造物を配置するとともに、地中構造物と掘削溝壁面との間のうち少なくともいずれか一方に、これら地中構造物と掘削溝壁面またはこの壁面に設けられた土留め用矢板のいずれか一方との間にそれぞれ空隙を確保して支持壁材を配置する第２の工程と、地中構造物と溝底面と支持壁材の内側面とに沿ってジオテキスタイルを被せ、このジオテキスタイルの溝幅方向両端を余らせる第３の工程と、ジオテキスタイル両端余り部を埋め戻し材の投入に応じて伸ばす第４の工程と、埋め戻し材を投入し、ジオテキスタイルの両端を埋め込んで掘削溝を埋め戻す第５の工程とを備えたものである。
【０００７】
請求項１に係るジオテキスタイルによる地中構造物の浅埋設工法では、地盤を掘削して掘削溝を形成する第１の工程と、掘削溝底面に地中構造物を配置するとともに、地中構造物と掘削溝壁面との間のうち少なくともいずれか一方に、これら地中構造物と掘削溝壁面またはこの壁面に設けられた土留め用矢板のいずれか一方との間にそれぞれ空隙を確保して支持壁材を配置する第２の工程と、地中構造物と溝底面と支持壁材の内側面とに沿ってジオテキスタイルを被せ、このジオテキスタイルの溝幅方向両端を余らせる第３の工程と、ジオテキスタイル両端余り部を埋め戻し材の投入に応じて伸ばす第４の工程と、埋め戻し材を投入し、ジオテキスタイルの両端を埋め込んで掘削溝を埋め戻す第５の工程とを備えたことにより、ジオテキスタイルで埋戻し材を囲むことにより埋戻し材の剛性が高まり、埋戻し材が地中構造物に対してアンカー機能を果たすので、ジオテキスタイル上側に投入される土被りとしての埋め戻し材層の厚みを薄くすることができる。このため、浅い素堀溝でも確実に地中構造物の浮上を抑制することができる。また、埋設されたジオテキスタイルの溝幅方向側面には支持壁材が配置されているので、ジオテキスタイルの溝幅方向側面が変形されることなく保持され、ジオテキスタイルに囲まれた埋め戻し材の剛性が確実に確保され、設計通りのアンカー機能を得ることができる。さらに、ジオテキスタイルを溝側壁まで伸ばす必要がないので、大きな掘削断面を要する素堀施工の場合でも、浮上抵抗に打ち勝つ最小限の領域にジオテキスタイルを敷設するだけで済む。
【０００８】
請求項２に係るジオテキスタイルによる地中構造物の浅埋設工法は、地盤を掘削して掘削溝を形成する第１の工程と、掘削溝底面に地中構造物を配置する第２の工程と、地中構造物が配置された掘削溝に埋め戻し材を投入して、地中構造物の一部を埋め戻し材上に露出させる第３の工程と、地中構造物と掘削溝壁面との間のうち少なくともいずれか一方に、これら地中構造物と掘削溝壁面またはこの壁面に設けられた土留め用矢板のいずれか一方との間にそれぞれ空隙を確保して支持壁材を配置する第４の工程と、地中構造物と埋め戻し材上面と支持壁材の内側面とに沿ってジオテキスタイルを被せ、このジオテキスタイルの溝幅方向両端を余らせる第５の工程と、ジオテキスタイル両端余り部を埋め戻し材の投入に応じて伸ばす第６の工程と、埋め戻し材を投入し、ジオテキスタイルの両端を埋め込んで掘削溝を埋め戻す第７の工程とを備えたものである。
【０００９】
請求項２に係るジオテキスタイルによる地中構造物の浅埋設工法では、地盤を掘削して掘削溝を形成する第１の工程と、掘削溝底面に地中構造物を配置する第２の工程と、地中構造物が配置された掘削溝に埋め戻し材を投入して、地中構造物の一部を埋め戻し材上に露出させる第３の工程と、地中構造物と掘削溝壁面との間のうち少なくともいずれか一方に、これら地中構造物と掘削溝壁面またはこの壁面に設けられた土留め用矢板のいずれか一方との間にそれぞれ空隙を確保して支持壁材を配置する第４の工程と、地中構造物と埋め戻し材上面と支持壁材の内側面とに沿ってジオテキスタイルを被せ、このジオテキスタイルの溝幅方向両端を余らせる第５の工程と、ジオテキスタイル両端余り部を埋め戻し材の投入に応じて伸ばす第６の工程と、埋め戻し材を投入し、ジオテキスタイルの両端を埋め込んで掘削溝を埋め戻す第７の工程とを備えたことにより、地中構造物は配置後最初に埋め戻し材が投入され、一部が埋め戻し材に埋められるので、作業中に変位することがなく、確実に施工を行うことができる。
【００１０】
請求項３に係るジオテキスタイルによる地中構造物の浅埋設工法では、埋め戻し材を、配置された支持壁材まで投入しては、支持壁材上に他の支持壁材を積み上げてジオテキスタイルの余り部を引き上げ、積み上げと埋め戻しと余り部の引き上げを繰り返し、投入された埋め戻し材内に積み上げた支持壁材により支持壁を形成するとともに、所定の高さまで埋め戻し材を投入することを特徴とするものである。
【００１１】
請求項４に係るジオテキスタイルによる地中構造物の浅埋設工法は、地中構造物と支持壁材との間に、埋め戻し材が所定の嵩を確保するように空隙を設けたことを特徴とするものである。
【００１２】
請求項５に係るジオテキスタイルによる地中構造物の浅埋設工法では、支持壁材は、地中構造物の溝幅方向両側に設けられることを特徴とするものである。
【００１３】
請求項６に係るジオテキスタイルによる地中構造物の浅埋設工法は、ジオテキスタイルを被せ、このジオテキスタイルの溝幅方向両端を余らせて埋め戻し材を投入した後、埋め戻し材が所定の高さに達すると、上記ジオテキスタイルの余り部を投入された埋め戻し材上に被せて接続し埋め戻し材を包むようにしたものである。
【００１４】
請求項６に係るジオテキスタイルによる地中構造物の浅埋設工法では、ジオテキスタイルを被せ、このジオテキスタイルの溝幅方向両端を余らせて埋め戻し材を投入した後、埋め戻し材が所定の高さに達すると、上記ジオテキスタイルの余り部を投入された埋め戻し材上に被せて接続し埋め戻し材を包むようにしたことにより、ジオテキスタイルで埋戻し材を包み込むことにより埋戻し材の剛性がより高まり、埋戻し材が地中構造物に対して果たすアンカー機能が向上する。このため、包み込む埋め戻し材の量を少なくすることができる。
【００１５】
請求項７に係るジオテキスタイルによる地中構造物の浅埋設工法は、掘削溝の壁面に土留め用矢板を設け、掘削溝を埋め戻す際、矢板を引き抜くようにしたものである。
【００１６】
請求項７に係るジオテキスタイルによる地中構造物の浅埋設工法では、掘削溝の壁面に土留め用矢板を設け、掘削溝を埋め戻す際、矢板を引き抜くようにしたことにより、掘削溝を掘削する場所が例え軟弱地盤であっても溝側壁が矢板により保護される。また、掘削溝を深く掘削しなければならない場所でも溝側壁が確実に保護される。
【００１７】
請求項８に係るジオテキスタイルによる地中構造物の浅埋設工法は、埋め戻し材を囲んだジオテキスタイルの外側には、溝掘削により生じた掘削土を用いることを特徴とするものである。
【００１８】
請求項９に係るジオテキスタイルによる地中構造物の浅埋設工法は、掘削溝底面に地盤材料を投入して支持地盤を形成し、この支持地盤上に地中構造物を配置することを特徴とするものである。
【００１９】
請求項１０に係るジオテキスタイルによる地中構造物の浅埋設工法は、地盤材料に埋め戻し材を用いたことを特徴とするものである。
【００２０】
請求項１１に係るジオテキスタイルによる地中構造物の浅埋設工法は、ジオテキスタイルの余り部が、積み上げられる支持壁材の間に挟み込まれることを特徴とするものである。
【発明の効果】
【００２１】
請求項１に係るジオテキスタイルによる地中構造物の浅埋設工法では、地盤を掘削して掘削溝を形成する第１の工程と、掘削溝底面に地中構造物を配置するとともに、地中構造物と掘削溝壁面との間のうち少なくともいずれか一方に、これら地中構造物と掘削溝壁面またはこの壁面に設けられた土留め用矢板のいずれか一方との間にそれぞれ空隙を確保して支持壁材を配置する第２の工程と、地中構造物と溝底面と支持壁材の内側面とに沿ってジオテキスタイルを被せ、このジオテキスタイルの溝幅方向両端を余らせる第３の工程と、ジオテキスタイル両端余り部を埋め戻し材の投入に応じて伸ばす第４の工程と、埋め戻し材を投入し、ジオテキスタイルの両端を埋め込んで掘削溝を埋め戻す第５の工程とを備えるようにしているので、埋設用の溝が矢板を有する掘削溝であっても素堀溝であっても溝の形式に関係なく、地中構造物を浅い位置に埋設することができる。このため、施工効率を向上させることができるとともに、施工コストを低減することができる。また、ジオテキスタイルで囲む埋め戻し材の領域や嵩を浮上抵抗に応じて必要最小限とすることができるので、購入する埋め戻し材の量を抑えることができ、コストダウンを図ることができる。さらに、ジオテキスタイルを溝側壁まで伸ばす必要がないので、大きな掘削断面を要する素堀施工の場合でも、浮上抵抗に打ち勝つ最小限の領域にジオテキスタイルを敷設するだけで済みコストダウンを図ることができるとともに施工効率が向上する。
【００２２】
請求項２に係るジオテキスタイルによる地中構造物の浅埋設工法では、地盤を掘削して掘削溝を形成する第１の工程と、掘削溝底面に地中構造物を配置する第２の工程と、地中構造物が配置された掘削溝に埋め戻し材を投入して、地中構造物の一部を埋め戻し材上に露出させる第３の工程と、地中構造物と掘削溝壁面との間のうち少なくともいずれか一方に、これら地中構造物と掘削溝壁面またはこの壁面に設けられた土留め用矢板のいずれか一方との間にそれぞれ空隙を確保して支持壁材を配置する第４の工程と、地中構造物と埋め戻し材上面と支持壁材の内側面とに沿ってジオテキスタイルを被せ、このジオテキスタイルの溝幅方向両端を余らせる第５の工程と、ジオテキスタイル両端余り部を埋め戻し材の投入に応じて伸ばす第６の工程と、埋め戻し材を投入し、ジオテキスタイルの両端を埋め込んで掘削溝を埋め戻す第７の工程とを備えるようにしているので、上記効果に加え、地中構造物は埋め戻し材の投入により、一部が埋め戻し材に埋められるので、作業中に地中構造物が変位することがなく、確実に施工を行うことができる。
【発明を実施するための最良の形態】
【００２３】
素堀溝であっても、また、浅い溝であっても、確実に地中構造物の浮上抵抗を抑えるという目的を、地中構造物と溝側壁との間に支持壁材または抜き板を配置してジオテキスタイルを敷設し、埋め戻し材を投入し、投入された埋め戻し材が所定の高さに達するまで支持壁材を積み上げるか、抜き板を徐々に引き上げた後引き抜き、ジオテキスタイルで埋め戻し材を包むことにより実現した。
【実施例１】
【００２４】
以下図面に示す実施例により本発明を説明する。図１は、本発明の第１の実施例に係るジオテキスタイルによる地中構造物の浅埋設工法により地中構造物を地中に埋設した状態を示す断面図、図２の（Ａ）ないし（Ｅ）、図３の（Ｆ）ないし（Ｉ）および図４の（Ｊ）ないし（Ｍ）はそれぞれ、この実施例に係るジオテキスタイルによる地中構造物の浅埋設工法により地中構造物を地中に埋設する工程を順を追って示す説明図である。本実施例に係るジオテキスタイルによる地中構造物の浅埋設工法について説明する。まず初めに、パイプライン（地中構造物）２を埋設する素堀溝（掘削溝）３は、埋設予定現場の地盤４（図２の（Ａ）参照）に所定の溝幅を確保して、素堀により形成される（第１の工程、図２の（Ｂ）参照）。この素堀溝３は、素堀で形成されるため、両側壁は上方にゆくに従い拡開するよう傾斜して形成される。素堀溝３の底面５の地盤上には、砂や砕石などの支持力の高い地盤材料を投入して支持地盤Ｃが形成される。
【００２５】
次に、図２の（Ｄ）および（Ｅ）に示すように、形成された支持地盤Ｃ上のほぼ中央にパイプライン２を配置し、パイプライン２と素堀溝３の壁面３Ａ、３Ｂとの間に土嚢（支持壁材）６を配置する（第２の工程）。これら土嚢６とパイプライン２との間には、所定の空隙Ｓ１（図１参照）が設けられるようになっており、この空隙Ｓ１に投入される後述する埋め戻し材が浮上抵抗力を確保するのに必要な嵩（容量）を得られるようになっている。土嚢６と壁面３Ａ、３Ｂとの間にも、空間Ｓ２が設けられる。
【００２６】
次に、図３の（Ｆ）に示すように、ジオテキスタイル１０の溝幅方向両端を余らせるようにしてパイプライン２と支持地盤Ｃと土嚢６の内側面とに沿ってジオテキスタイル１０を被せる（第３の工程）。ジオテキスタイル１０は、いくつかの長片からなり、非透水性のシート材等、あるいは透水性の編物、麻布等で構成される。本実施例では、麻布を用いている。ジオテキスタイル１０は、中央部１０Ａがパイプライン２の管頂部を覆うようにして被せられ、そのまま管底部側に向かって降ろされ、さらに、支持地盤Ｃ上面を通り、続いて土嚢６の内側面に沿って立ち上げられ、巻き回された両端の余り部１０Ｂ、１０Ｃが土嚢６の上面に載せられるか、上方で図示しない保持手段により保持されるようになっている。このように、ジオテキスタイル１０は、パイプライン２の露出部をほぼ覆い、パイプライン２と土嚢６との間の支持地盤Ｃ上面に敷かれるとともに、土嚢６のパイプライン２側に向く面に沿って立ち上げられ、両端余り部１０Ｂ、１０Ｃは、素堀溝３の両側壁３Ａ、３Ｂに達することなく、土嚢６上に載せられるようになっている。
【００２７】
次に、図３の（Ｇ）に示すように、パイプライン２と土嚢６との間の、支持地盤Ｃ上面に敷かれたジオテキスタイル１０上と、土嚢６と素堀溝両側壁３Ａ、３Ｂとの間とに、埋め戻し材７を投入する。埋め戻し材７は、土嚢６の上面に達するまで投入される（第４の工程）。埋め戻し材７は素堀により発生した掘削土でもよいし、改良土でもよい。埋め戻し材７は、ジオテキスタイル１０により包み込まれた際、アンカー機能を果たす剛性を発揮する材料であれば良く、土砂だけでなく、砂、礫、砂利あるいはこれらの混合材であってもよい。
【００２８】
次に、図３の（Ｈ）に示すように、埋め戻し材７に溝幅方向両側が埋められた各土嚢６Ａ、６Ａの上に別の土嚢６Ｂ、６Ｂを積み上げ、ジオテキスタイルの両端余り部１０Ｂ、１０Ｃを積み上げられた土嚢６Ｂ、６Ｂ上に載せる。そして、再び、パイプライン２と積み重ねられた土嚢６Ｂ、６Ｂとの間の、向き合うジオテキスタイル１０間と、積み重ねられた土嚢６Ｂ、６Ｂと素堀溝両側壁３Ａ、３Ｂとの間とに、埋め戻し材７を新たに積み上げられた各土嚢６Ｂ、６Ｂの上面に達するまで投入する（図３の（Ｉ）参照）。このようにして、土嚢６Ａ、６Ｂ・・・６Ｎの積み重ねと、埋め戻し材７の投入を繰り返し、図４の（Ｊ）に示すように、土嚢６Ａ、６Ｂ・・・６Ｎの積み重ねと埋め戻し材７の投入は、埋め戻し材７がパイプライン２のアンカー機能を発揮する高さＬ１に達するまで行われる。本実施例では、土嚢を５個積み上げ、高さＬ１はパイプライン２の上方に達している。こうして、ジオテキスタイルの１０の溝幅方向外側には、土嚢６Ａ、６Ｂ・・・６Ｎの積み重ねにより支持壁６Ａ−６Ｎが形成される。次に、図４の（Ｋ）に示すように、ジオテキスタイル１０の両端余り部１０Ｂ、１０Ｃを回し開いて伸ばした後、両者１０Ｂ、１０Ｃを接続し、ジオテキスタイル１０で囲まれた埋め戻し材７を包み込む（第５の工程）。このジオテキスタイルの１０の接続により、埋め戻し材７はアンカー機能を果たすことになる。また、ジオテキスタイル１０は、土嚢６Ａ、６Ｂ・・・６Ｎが積み上げられるごとに、土嚢６Ａ、６Ｂ・・・６Ｎの内側面に沿って余り部１０Ｂ、１０Ｃが上方に引き上げられるので、パイプライン１０の長手方向に沿った面が崩れることなく、確実に保持される。なお、土嚢６Ａ、６Ｂ・・・６Ｎの積み重ねと、埋め戻し材７の投入は、土嚢を１つ積み重ねるごとに行ってもよいし、複数の土嚢を積み重ねて、複数の土嚢分の高さに埋め戻し材を投入してもよい。
【００２９】
次に、図４の（Ｌ）、（Ｍ）に示すように、ジオテキスタイル１０の上面に達する位置まで土嚢６Ｎ、６Ｎの積み上げが完了し、これら土嚢６Ｎ、６Ｎと両端が接続されたジオテキスタイル１０との上に、埋め戻し材７が埋め戻され、素堀溝３は埋め戻しが完了する（第６の工程）。
【００３０】
上記実施例では、ジオテキスタイルを麻布で構成しているがこれに限られるものではなく、この工法に用いられるジオテキスタイルは、織布、不織布および編物、あるいはジオグリッド、ジオネットおよびメンブレンなどジオテキスタイル関連製品を含むものと定義される。例えば、種類として、ジオウォーブン（織物、織布、geowoven, woven geotextile）、ジオノンウォーブン（不織布、geononwoven, nonwoven geotextile）、ジオニット（緬物、geoknitted, knitted geotextile）、ジオグリッド（geogrid）、ジオネット（geonet）、ジオテキスタイル関連製品（geotextile-related product）、ジオコンポジット（複合製品、geocomposite）等がある。ジオウォーブンとは、縦糸と横糸を用いて織った織物で、土木などの用途に使用される製品である。ジオノンウォーブンとは、規則的または不規則的に配列した繊維を製織せずに機械的、化学的または熱的方法によって結合した不織布で、土木などの用途に使用される製品である。繊維の長さにより長い繊維と短繊維のものに大別できる。ジオユニットとは、連続した糸、繊維などによって緬目で構成した編物で、土木などの用途に使用される製品である。ジオグリッドとは、引張抵抗性のある構成要素が連結した規則的な格子構造からなるシート状のもので、主に高分子材料からなる製品である。ジオネットとは、開口部が構成要素の占める面積より大きい網目構造を持つシート状のもので、土木などの用途に使用される高分子材料の製品である。交点部は結節あるいは一体となっており、一般のジオウォーブン、ジオニットとは区別されている。ジオテキスタイル関連製品とは、狭義のジオテキスタイル、ジオグリッドおよびジオネット以外で、シート状または帯状の高分子材料からなる土木用途に使用される製品である。ジオコンポジットとは、狭義のジオテキスタイル、ジオグリッド、ジオネットなどを任意に組み合わせて一体とした複合製品である。単一製品の長所をお互い組み合わせて必要な機能を発揮させるため複合されている。
【００３１】
次に、上記第１の実施例に係るジオテキスタイルによる地中構造物の浅埋設工法の作用について説明する。まず、第１の工程で、地盤４を掘削して素堀溝３を形成し、この第１の工程後、第２の工程で、素堀溝３の底面５に地盤材料を投入して支持地盤Ｃを形成する。そして、支持地盤Ｃ上にパイプライン２を配置するとともに、このパイプライン２と素堀溝壁面３Ａ、３Ｂとの間に土嚢６を配置する。これら土嚢６とパイプライン２との間には、埋め戻し材７が浮上抵抗力を確保するのに必要な嵩を得られるように、所定の空隙Ｓ１（図１参照）が設けられる。次に、第２の工程後、第３の工程で、長片のジオテキスタイル１０の溝幅方向両端を余らせるようにしてパイプライン２と支持地盤Ｃと土嚢６の内側面とに沿ってジオテキスタイル１０を被せる。ジオテキスタイル１０は、パイプライン２の露出部をほぼ覆い、パイプライン２と土嚢６との間の支持地盤Ｃ上面に敷かれるとともに、土嚢６のパイプライン２側に向く面に沿って立ち上げられ、両端余り部１０Ｂ、１０Ｃは、素堀溝３の両側壁３Ａ、３Ｂに達することなく、土嚢１０上に載せられるようになっている。次に、第３の工程後、第４の工程で、パイプライン２と土嚢６との間の、支持地盤Ｃ上面に敷かれたジオテキスタイル１０上と、土嚢６と素堀溝両側壁３Ａ、３Ｂとの間とに、埋め戻し材７を投入する。埋め戻し材７は、土嚢６の上面に達するまで投入される。土嚢６の積み上げと埋め戻し材７の投入を繰り返し、埋め戻し材７がパイプライン２のアンカー機能を発揮する高さＬ１まで達すると、土嚢６の積み重ねは終了する。積み重ねられた土嚢６Ａ、６Ｂ・・・６Ｎにより支持壁６Ａ−６Ｎが形成される。次に、第４の工程後、第５の工程で、ジオテキスタイル１０の両端余り部１０Ｂ、１０Ｃを開いて接続し、ジオテキスタイル１０で囲まれた埋め戻し材７を包み込む。このジオテキスタイルの１０の接続により、埋め戻し材７はアンカー機能を果たすことになる。次に、この第５の工程後、第６の工程で、積み重ねが完了した土嚢６Ｎ、６Ｎと両端が接続されたジオテキスタイル１０との上に、埋め戻し材７が埋め戻され、素堀溝３は埋め戻しが完了する。
【００３２】
このように、第１の実施例に係るジオテキスタイルによる地中構造物の浅埋設工法では、ジオテキスタイル１０で埋戻し材７を包み込むことにより埋戻し材７の剛性が高まり、埋戻し材７がパイプライン１０に対してアンカー機能を果たすので、ジオテキスタイル１０上側に投入される土被りとしての埋め戻し材７層の厚みを薄くすることができる。このため、浅い素堀溝３でも確実にパイプライン１０等の地中構造物の浮上を抑制することができる。また、埋設されたジオテキスタイル１０の溝幅方向側面には支持壁材６Ａ−６Ｎが配置されているので、ジオテキスタイル１０の溝幅方向側面が変形されることなく保持され、ジオテキスタイル１０に包まれた埋め戻し材７の剛性が確実に確保され、設計通りのアンカー機能を得ることができる。ジオテキスタイル１０に包み込まれる埋戻し材７は砂より砕石が好ましく、より浮上抵抗力を増大させる。さらに、埋戻し材７にソイルセメントや流動化処理土を用いると、ジオテキスタイル１０と一体化しより浮上抵抗力を増大させる。
【実施例２】
【００３３】
次に、本発明の第２の実施例に係るジオテキスタイルによる地中構造物の浅埋設工法について説明する。図５は、上記第２の実施例に係るジオテキスタイルによる地中構造物の浅埋設工法により地中構造物を地中に埋設した状態を示す断面図、図６の（Ａ）ないし（Ｅ）、図７の（Ｆ）ないし（Ｉ）および図８の（Ｊ）ないし（Ｍ）はそれぞれ、この実施例に係るジオテキスタイルによる地中構造物の浅埋設工法により地中構造物を地中に埋設する工程を順を追って示す説明図である。この第２の実施例に係るジオテキスタイルによる地中構造物の浅埋設工法は、上記第１の実施例が、ジオテキスタイル１０に包み込まれる埋め戻し材７をアンカー機能を果たす高さＬ１まで投入する際、土嚢６の積み重ねと埋め戻し材７の投入とを繰り返すようにしているのに対し、土嚢６に代えて抜き板９を用いる点が異なる他はほぼ同じ構成を有している。すなわち、まず初めに、パイプライン２を埋設する素堀溝３が、埋設予定現場の地盤４（図６（Ａ）参照）に形成される（第１の工程、図６の（Ｂ）参照）。素堀溝３の底面５の地盤上には、砂や砕石などの支持力の高い地盤材料を投入して支持地盤Ｃが形成される（図６の（Ｃ）参照）。
【００３４】
次に、図６の（Ｄ）および（Ｅ）に示すように、支持地盤Ｃ上のほぼ中央にパイプライン２を配置し、パイプライン２と素堀溝３の壁面３Ａ、３Ｂとの間に抜き板９を配置する（第２の工程）。抜き板９は長方形状に形成された一枚板でパイプライン２に沿って支持地盤Ｃ上に引き抜き可能に立てられる。これら抜き板９とパイプライン２との間には、上記第１の実施例と同様に、所定の空隙Ｓ１（図５参照）が設けられる。この空隙Ｓ１には埋め戻し材７が投入され、パイプライン２に対する浮上抵抗力を確保するようになっている。抜き板９と壁面３Ａ、３Ｂとの間にも、空間が設けられる。
【００３５】
次に、図７の（Ｆ）に示すように、ジオテキスタイル１０の溝幅方向両端を余らせるようにしてパイプライン２と支持地盤Ｃと抜き板９の内側面とに沿ってジオテキスタイル１０を被せる（第３の工程）。ジオテキスタイル１０は、中央部１０Ａがパイプライン２の管頂部を覆うようにして被せられ、そのまま管底部側に向かって降ろされ、さらに、支持地盤Ｃ上面を通り、続いて抜き板９の内側面に沿って立ち上げられ、巻き回された両端の余り部１０Ｂ、１０Ｃが抜き板９の上面に載せられるか、上方で図示しない保持手段により保持されるようになっている。このように、ジオテキスタイル１０は、パイプライン２の露出部をほぼ覆い、パイプライン２と抜き板９との間の支持地盤Ｃ上面に敷かれるとともに、抜き板９のパイプライン２側に向く面に沿って立ち上げられ、両端余り部１０Ｂ、１０Ｃは、素堀溝３の両側壁３Ａ、３Ｂに達することなく、抜き板９上に載せられるようになっている。
【００３６】
次に、図７の（Ｇ）に示すように、パイプライン２と抜き板９との間の、支持地盤Ｃ上面に敷かれたジオテキスタイル１０上と、抜き板９と素堀溝両側壁３Ａ、３Ｂとの間とに、埋め戻し材７を投入する。埋め戻し材７は、抜き板９の上部が露出する位置まで投入される。次に、図７の（Ｈ）に示すように、抜き板９の一方をＬ２分の高さ引き上げ、立ったまま下部が埋め戻し材７に埋まった状態となるようにする。次に、他方の抜き板９も同様にＬ２分引き上げ、立った状態に保持する。抜き板９の引き抜きは、抜き板９の引き抜き抵抗に応じてマンパワーで行ってもよいし器具を用いて行ってもよい。両方の抜き板９、９が引き上げられると、再び、埋め戻し材７を投入する（図７の（Ｉ）参照）。埋め戻し材７は、抜き板９の上部が露出する位置まで投入される。こうして、抜き板９、９の引き上げと、埋め戻し材７の投入を繰り返し、図８の（Ｊ）に示すように、埋め戻し材７がパイプライン２のアンカー機能を発揮する高さＬ１に達するまで行われる（第４の工程）。そして、埋め戻し材７が高さＬ１に達すると、図８の（Ｋ）に示すように、ジオテキスタイル１０の両端余り部１０Ｂ、１０Ｃを回し開いて接続し、ジオテキスタイル１０で囲まれた埋め戻し材７を包み込む（第５の工程）。
【００３７】
次に、図８の（Ｌ）に示すように、ジオテキスタイル１０の溝幅方向両面に接した抜き板９を上方に引き抜く（第６の工程）。これら第５の工程および第６の工程は順序が逆でもよい。次に、抜き板９が引き抜かれ、ジオテキスタイル１０が接続された素堀溝３に埋め戻し材７が埋め戻され、素堀溝３は埋め戻しが完了する（第７の工程）。
【００３８】
次に、第２の実施例に係るジオテキスタイルによる地中構造物の浅埋設工法の作用について説明する。第２の実施例に係るジオテキスタイルによる地中構造物の浅埋設工法では、第１の工程で地盤４を掘削して素堀溝３を形成し、この第１の工程後、素堀溝５の底面５に形成された支持地盤Ｃにパイプライン２を配置するとともに、パイプライン２と素堀溝壁面３Ａ、３Ｂとの間に抜き板９を立設し、第２の工程後、第３の工程で、パイプライン２と支持地盤Ｃと抜き板９の内側面とに沿ってジオテキスタイル１０を被せ、このジオテキスタイル１０の両端を余らせ、第３の工程後、第４の工程で、埋め戻し材７を投入して抜き板９を上方に引き上げ、次に、第５の工程で、投入される埋め戻し材７が所定の高さＬ１に達すると、上記ジオテキスタイル１０の余り部１０Ａ、１０Ｂを埋め戻し材７上に被せて接続し埋め戻し材を包み、第６の工程で、抜き板９を引き抜き、第７の工程で、抜き板９が引き抜かれジオテキスタイル１０が接続された素堀溝３に、埋め戻し材７を投入し、素堀溝３を埋め戻すようにしている。このため、第２の実施例に係るジオテキスタイルによる地中構造物の浅埋設工法では、ジオテキスタイル１０で埋戻し材７を包み込むことにより埋戻し材７の剛性が高まり、埋戻し材７が地中構造物としてのパイプライン２に対してアンカー機能を果たすので、ジオテキスタイル１０の上側に投入される土被りとしての埋め戻し材層の厚みを薄くすることができる。従って、浅い素堀溝でも確実に地中構造物の浮上を抑制することができる。また、抜き板９を引き上げながら埋め戻し材７を投入することができるので、溝幅が短く深い掘削溝でも確実にジオテキスタイル１０により埋め戻し材７を包み込むことができる。さらに、埋設されたジオテキスタイル１０の溝幅方向側面には抜き板９が配置され、埋め戻し材７の投入量の増大に応じて抜き板９が引き抜かれるので、ジオテキスタイル１０の溝幅方向側面が変形されることなく平面状に保持され、ジオテキスタイル１０に包まれた埋め戻し材７の剛性が確実に確保され、設計通りのアンカー機能を得ることができる。また、抜き板９を引き抜いて素堀溝を埋め戻すようにしているので、埋め戻された溝には、抜き板９や土嚢６など他の部材を埋め殺しする必要がなくなる。
【００３９】
図９の（Ａ）ないし（Ｆ）は、第２の実施例の変形例を示すもので、上記第２の実施例に係るジオテキスタイルによる地中構造物の浅埋設工法では、素堀溝３のほぼ中央に１本のパイプライン２を配置しているのに対し、支持地盤Ｃ上に複数のパイプライン２Ａ、２Ｂを所定の間隙を隔てて横に並べて配置し、埋め戻し材７Ａを所定の高さＬ３（この変形例の場合、パイプライン２Ａ、２Ｂのほぼ半分の高さ）まで投入して抜き板９を用いる点が異なる他はほぼ同じ構成を備えている。
【実施例３】
【００４０】
次に、本発明の第３の実施例に係るジオテキスタイルによる地中構造物の浅埋設工法について説明する。図１０の（Ａ）ないし（Ｄ）は、第３の実施例に係るジオテキスタイルによる地中構造物の浅埋設工法により地中構造物を地中に埋設する工程を順を追って示す説明図である。この第３の実施例に係るジオテキスタイルによる地中構造物の浅埋設工法は、上記第１および第２の実施例が、パイプライン２と素堀溝３の側壁３Ａ、３Ｂとの間に、土嚢６や抜き板９を介在させて、ジオテキスタイル１０に埋め戻し材７を包み込むようにしているのに対し、土嚢６や抜き板９等の介在物を介在させず、長片のジオテキスタイル１０を敷設する際、両端余り部１０Ｂ、１０Ｃを素堀溝３の側壁３Ａ、３Ｂまで伸ばし広げ、被せられたジオテキスタイル１０上に埋め戻し材７を投入し、埋め戻し材７がアンカー機能を果たす所定の高さＬ１に達すると、ジオテキスタイル１０の両端を接続し、埋め戻し材７を包み込むようにした点が異なる他はほぼ同じ構成を有している。
【００４１】
すなわち、まず初めに、第１の工程で、地盤４を掘削して素堀溝３を形成し、第２の工程で、素堀溝３の底面５に支持地盤Ｃを形成し、パイプライン２Ａ、２Ｂを横に並べて配置する。次に、第３の工程で、埋め戻し材７Ａを所定の高さＬ３まで投入して、パイプライン２Ａ、２Ｂの上部を埋め戻し材７Ａ上に露出させる。次に、第４の工程で、パイプライン２Ａ、２Ｂと埋め戻し材７Ａ上面と素堀溝壁面３Ａ、３Ｂとに沿ってジオテキスタイル１０を被せ、このジオテキスタイル１０の両端の余り部１０Ａ、１０Ｂを壁面３Ａ、３Ｂ上に配置する。第５の工程で、埋め戻し材７を投入し、投入量の増大に応じてジオテキスタイル１０の両端の余り部１０Ａ、１０Ｂを壁面３Ａ、３Ｂに沿って敷き伸ばし、埋め戻し材７が所定の高さＬ１に達すると、ジオテキスタイル１０の余り部１０Ｂ、１０Ｃを投入された埋め戻し材７上に被せて接続し埋め戻し材７を包み込む。次に、第６の工程で、埋め戻し材７を投入し、素堀溝３を埋め戻すようになっている。
【００４２】
このように、第３の実施例に係るジオテキスタイルによる地中構造物の浅埋設工法では、ジオテキスタイル１０で埋戻し材７を包み込むことにより埋戻し材７の剛性が高まり、埋戻し材７が地中構造物としてのパイプライン２Ａ、２Ｂに対してアンカー機能を果たすので、ジオテキスタイル１０上側に投入される土被りとしての埋め戻し材層の厚みを薄くすることができ、浅い素堀溝でも確実に地中構造物の浮上を抑制することができることに加え、介在物を用いることなく、埋め戻し材７が所定の高さＬ１に達すると、ジオテキスタイル１０を接続しさえすれば埋め戻すことができるので施工効率が向上する。このため、浅い素堀溝に複数の地中構造物を埋設する場合に有効である。なお、第３の実施例に係るジオテキスタイルによる地中構造物の浅埋設工法では、パイプライン２Ａ、２Ｂの配置前に、第２の工程で、素堀溝３の底面５に支持地盤Ｃを形成するようにしているがこれに限られるものではなく、素堀溝３の底面５に直接パイプライン２Ａ、２Ｂを配置するようにしてもよい。また、第３の実施例に係るジオテキスタイルによる地中構造物の浅埋設工法では、パイプライン２Ａ、２Ｂの配置後、第３の工程で埋め戻し材７Ａを所定の高さＬ３まで投入して、パイプライン２Ａ、２Ｂの上部を埋め戻し材７Ａ上に露出させるようにしているが、これに限られるものではなく、パイプライン２Ａ、２Ｂの配置後、埋め戻し材７Ａを投入することなく、ジオテキスタイル１０を被せるようにしてもよい。
【実施例４】
【００４３】
次に、本発明の第４の実施例に係るジオテキスタイルによる地中構造物の浅埋設工法について説明する。図１１の（Ａ）、（Ｂ）はそれぞれ、第４の実施例に係るジオテキスタイルによる地中構造物の浅埋設工法により地中構造物を地中に埋設した状態を示す断面図および要部を拡大して示す断面図である。この第４の実施例に係るジオテキスタイルによる地中構造物の浅埋設工法は、上記第１ないし第３の各実施例が、掘削溝を、掘削しただけで土留めを行っていない素堀溝３としているのに対し、軟弱地盤対策として、掘削溝５３の両側壁５３Ａ、５３Ｂに土留め用の矢板２０、２０を設けた点と、ジオテキスタイル１１を、溝幅方向が短寸の長片から構成するとともに、このジオテキスタイル１１の両端余り部１１Ｂ、１１Ｃを接続することなく、埋め戻し材７に埋め込んでいる点との２点が異なる他は、ほぼ同じ構成を有している。ジオテキスタイル１１は、パイプライン２の両側で埋め戻し材７を囲むことにより埋戻し材の剛性が高まり、埋戻し材７がパイプライン２に対してアンカー機能を果たすようになっている。しかも、ジオテキスタイル１１の、土嚢６のパイプライン２側の面に沿って上方に立ち上がる立ち上がり部１１Ｄ、１１Ｅは複数の土嚢６を積み上げて形成された支持壁に接しているので、埋戻し材７の剛性がより高まる。
【００４４】
このように、第４の実施例に係るジオテキスタイルによる地中構造物の浅埋設工法では、ジオテキスタイル１１の両端１１Ｂ、１１Ｃを例え接続しなくとも、ジオテキスタイル１１で埋戻し材７を囲むことにより、埋戻し材７の剛性が高まり、埋戻し材７がパイプライン２に対してアンカー機能を果たすので、ジオテキスタイル１１上側に投入される土被りとしての埋め戻し材層の厚みを薄くすることができ、浅い素堀溝でも確実に地中構造物の浮上を抑制することができる。
【実施例５】
【００４５】
図１２の（Ａ）、（Ｂ）はそれぞれ、第４の実施例の第１の変形例を示すもので、上記第４の実施例では、ジオテキスタイル１１の立ち上がり部１１Ｄ、１１Ｅが、土嚢６の支持壁内面に沿ってほぼ垂直に立ち上がるよう構成されているのに対し、この第４の実施例の第１の変形例に係るジオテキスタイル１２は、土嚢６を積み上げて形成された支持壁に沿って立ち上がり部１２Ｄ、１２Ｅが立ち上がるとともに、両端１２Ｂ、１２Ｃがパイプライン２側に折れて、埋め戻し材７の上面に載せられる点が異なる他は、第４の実施例とほぼ同様の構成を備えている。このように、第４の実施例の第１の変形例に係るジオテキスタイルによる地中構造物の浅埋設工法では、ジオテキスタイル１２の両端１２Ｂ、１２Ｃを例え接続しなくとも、ジオテキスタイル１２で埋戻し材７を囲むことにより、埋戻し材７の剛性が高まり、埋戻し材７がパイプライン２に対してアンカー機能を果たすようになっている。
【実施例６】
【００４６】
図１３は、第４の実施例の第２の変形例を示すもので、上記第４の実施例では、ジオテキスタイル１１の立ち上がり部１１Ｄ、１１Ｅが、土嚢６の支持壁内面に沿ってほぼ垂直に立ち上がるよう構成されているのに対し、この第４の実施例の第２の変形例に係るジオテキスタイル１３は、土嚢６を積み上げて形成された支持壁に沿って立ち上がり部１３Ｄ、１３Ｅが立ち上がるとともに、両端１３Ｂ、１３Ｃが積み上げられた土嚢６のうち上側の土嚢６Ｕ、６Ｕの下面に挟み込まれるようにしている点が異なる他は、第４の実施例とほぼ同様の構成を備えている。このように、第４の実施例の第２の変形例に係るジオテキスタイルによる地中構造物の浅埋設工法では、ジオテキスタイル１３の両端１３Ｂ、１３Ｃを例え接続しなくとも、ジオテキスタイル１３で埋戻し材７を囲むことにより、埋戻し材７の剛性が高まり、埋戻し材７がパイプライン２に対してアンカー機能を果たすようになっている。
【実施例７】
【００４９】
なお、上記各実施例では、素堀溝３の底面５上に砂や砕石などの支持力の高い地盤材料を投入して支持地盤Ｃを形成するようにしているがこれに限られるものではなく、底面５上に直接、地中構造物を配置するようにしてもよい。こうすることにより、例えば、素堀溝３の底面５が強固な地盤の場合、支持地盤を形成しなくても地中構造物が確実に支持され変形等の虞がないので、コストダウンを図ることができる。さらに、地盤材料に代えて埋め戻し材または掘削により発生した掘削土を投入し、この埋め戻し材または掘削土の上に地中構造物を配置するようにしてもよい。また、上記第１および第２の実施例では、支持地盤上にパイプラインを配置しているが、これに限られるものではなく、支持地盤上に埋め戻し材または掘削土を投入し、埋め戻し材または掘削土上にパイプラインを配置するようにしてもよいし、支持地盤上にパイプラインを配置した後、埋め戻し材または掘削土を投入し、パイプラインの上部または一部を露出させてジオテキスタイルを被せるようにしてもよい。さらに、上記第１および第２の実施例では、埋め戻し材が包み込まれるジオテキスタイルの外側にも埋め戻し材を投入するようにしているがこれに限られるものではなく、包み込んだジオテキスタイルの外側には、すなわち、土嚢や抜き板と素堀溝側壁との間に、掘削により発生した掘削土を投入するようにしてもよい。掘削土を投入することにより、掘削残土の量を減らすことができる。また、上記第１の実施例および第２の実施例では、地中構造物の溝幅方向両側に、地中構造物の長手方向に沿って土嚢や抜き板を配置しているがこれに限られるものではなく、片側のみに配置するようにしてもよい。その場合、他方は第３の実施例に示すように、ジオテキスタイルを素堀溝の側壁に沿って敷設すればよい。さらに、上記各実施例では、地中構造物の例としてパイプライン２について述べているが、これに限られものではなく、水路、マンホールなどの地中に埋設される構造物であればよいことはいうまでもない。また、上記第１の実施例では、土嚢６の積み上げと埋め戻し材７の投入を繰り返し、複数の土嚢６を積み上げて支持壁を形成し、埋め戻し材がアンカー機能を発揮する所定の高さに達するまで投入されるようになっているがこれに限られるものではなく、浅い素堀溝であって、地中構造物の高さ寸法が短く、単数の土嚢（支持壁材）の高さまで埋め戻し材を投入してアンカー機能を発揮するのであれば、複数の土嚢６を積み上げる必要がないことはいうまでもない。さらに、上記第１の実施例では、支持壁材として土嚢６を用いているがこれに限られるものではなく、積み上げて支持壁を形成するものであれば良く、ブロックや板材であってもよいことはいうまでもない。また、埋め戻し材は、掘削により発生した掘削土や改良土に限られるものではなく、セメント等による流動化処理土、高分子材料などによる人工材料を用いてもよいし、これらを組み合わせて埋め戻し材としてもよい。さらに、土嚢６の内部またはジオテキスタイル１０〜１４で囲まれる空間には、掘削により発生する発生土を入れてよいし、改良土や砂利などを入れるようにしてもよいことはいうまでもない。
【図面の簡単な説明】
【００５０】
【図１】本発明の第１の実施例に係るジオテキスタイルによる地中構造物の浅埋設工法により地中構造物を地中に埋設するした状態を示す断面である。（実施例１）
【図２】（Ａ）ないし（Ｅ）はそれぞれ、第１の実施例に係るジオテキスタイルによる地中構造物の浅埋設工法により地中構造物を地中に埋設する工程を順を追って示す説明図である。
【図３】（Ｆ）ないし（Ｉ）はそれぞれ、第１の実施例に係るジオテキスタイルによる地中構造物の浅埋設工法により地中構造物を地中に埋設する工程を順を追って示す説明図である。
【図４】（Ｊ）ないし（Ｍ）はそれぞれ、第１の実施例に係るジオテキスタイルによる地中構造物の浅埋設工法により地中構造物を地中に埋設する工程を順を追って示す説明図である。
【図５】本発明の第２の実施例に係るジオテキスタイルによる地中構造物の浅埋設工法により地中構造物を地中に埋設するした状態を示す断面である。（実施例２）
【図６】（Ａ）ないし（Ｅ）はそれぞれ、第２の実施例に係るジオテキスタイルによる地中構造物の浅埋設工法により地中構造物を地中に埋設する工程を順を追って示す説明図である。
【図７】（Ｆ）ないし（Ｉ）はそれぞれ、第２の実施例に係るジオテキスタイルによる地中構造物の浅埋設工法により地中構造物を地中に埋設する工程を順を追って示す説明図である。
【図８】（Ｊ）ないし（Ｍ）はそれぞれ、第２の実施例に係るジオテキスタイルによる地中構造物の浅埋設工法により地中構造物を地中に埋設する工程を順を追って示す説明図である。
【図９】（Ａ）ないし（Ｆ）は、第２の実施例の変形例を示すジオテキスタイルによる地中構造物の浅埋設工法により地中構造物を地中に埋設する工程を順を追って示す説明図である。
【図１０】（Ａ）ないし（Ｄ）はそれぞれ、第３の実施例に係るジオテキスタイルによる地中構造物の浅埋設工法により地中構造物を地中に埋設する工程を順を追って示す説明図である。（実施例３）
【図１１】（Ａ）、（Ｂ）はそれぞれ、第４の実施例に係るジオテキスタイルによる地中構造物の浅埋設工法により地中構造物を地中に埋設した状態を示す断面図および要部を拡大して示す断面図である。（実施例４）
【図１２】（Ａ）、（Ｂ）はそれぞれ、第４の実施例の第１の変形例に係るジオテキスタイルによる地中構造物の浅埋設工法により地中構造物を地中に埋設した状態を示す断面図および要部を拡大して示す断面図である。（実施例５）
【図１３】第４の実施例の第２の変形例に係るジオテキスタイルによる地中構造物の浅埋設工法により地中構造物を地中に埋設した状態を示す要部を拡大して示す断面図である。（実施例６）
【符号の説明】
【００５１】
３    素堀溝
３Ａ、３Ｂ  素堀溝壁面
４    地盤
５    素堀溝底面
６    土嚢（支持壁材）
７    埋め戻し材
１０    ジオテキスタイル
１０Ｂ、１０Ｃ  余り部
Ｌ１  所定の高さ
【図１】
0004803497.tif 000002
【図２】
0004803497.tif 000003
【図３】
0004803497.tif 000004
【図４】
0004803497.tif 000005
【図５】
0004803497.tif 000006
【図６】
0004803497.tif 000007
【図７】
0004803497.tif 000008
【図８】
0004803497.tif 000009
【図９】
0004803497.tif 000010
【図１０】
0004803497.tif 000011
【図１１】
0004803497.tif 000012
【図１２】
0004803497.tif 000013
【図１３】
0004803497.tif 000014